(57)【要約】【課題】袋穴加工を短い時間で行う。【解決手段】バイト１の突出部１６は、山部３０を複数個、軸方向に並べて構成されている。複数個の山部３０は、切れ刃を構成している。バイト１を長穴６０の径方向外側に動かしつつ、バイト１に対して軸方向一方側の移動と軸方向他方側の移動とを繰り返し行わせる。これにより、複数個の山部３１は、被切削部材５０の内周面を径方向外側および軸方向のそれぞれに削り込むことになる。被切削部材５０に対して多くの量を削ることができる。【選択図】図１
2011212778.tif 000002
【特許請求の範囲】
【請求項１】
棒状のシャンクの軸方向一方側に設けられ、前記シャンクの軸方向に対する直交方向に突出するように形成された突出部を有し、
この突出部により被切削部材を前記軸方向に切り込む切れ刃を構成しており、
前記突出部には、前記突出する方向に頂部を向けるように形成された山部が複数個、前記軸方向に並ぶように形成されていることを特徴とするバイト。
【請求項２】
前記突出部は、前記シャンクの軸方向に平行でかつ前記軸方向に直交する方向に平行である平面を有しており、
前記シャンクの軸線を中心とする円周方向に前記突出部が２つ設けられ、一方の突出部の平面と他方の突出部の平面は、前記円周方向において同一の向きに向けて配置されていることを特徴とする請求項１に記載のバイト。
【請求項３】
前記複数個の山部のそれぞれは、前記軸方向に直交する線に対して線対称になっている第１、第２の側面を有することを特徴とする請求項１または２に記載のバイト。
【請求項４】
棒状のシャンクの軸方向一方側に設けられている切れ刃を有するバイトを用いて、被切削部材に設けられた断面円形の長穴の軸方向奥側を切削して前記長穴の軸線を中心とするリング状の凹部を成形する切削方法であって、
前記バイトとして、請求項１ないし３のいずれか１つに記載のバイトを用い、
前記長穴の軸線を中心として前記被切削部材を回転させた状態で、前記バイトを前記長穴の軸方向に動かしつつ前記長穴の径方向外側に動かし、前記突出部の複数個の山部によって前記長穴の軸方向奥側の内周面を前記径方向外側および前記軸方向に削り込むことにより、前記凹部を成形することを特徴とする切削方法。
【請求項５】
棒状のシャンクの軸方向一方側に設けられている切れ刃を有するバイトを用いて、被切削部材に設けられた断面円形の長穴の軸方向奥側を切削して前記長穴の軸線を中心とするリング状の凹部を成形する切削方法であって、
前記バイトとして、請求項２または３に記載のバイトを用い、
前記長穴の軸線を中心として前記被切削部材を回転させた状態で、前記バイトを前記長穴の軸方向に動かしつつ前記長穴の径方向外側に動かして前記凹部を成形する工程を有し、この工程は、
前記一方の突出部の複数個の山部によって前記長穴の軸方向奥側の内周面を前記径方向外側および前記軸方向に削り込む荒削りの工程と、
前記他方の突出部の複数個の山部によって前記長穴の軸方向奥側の内周面を前記径方向外側および前記軸方向に削り込む仕上げの工程と、を有することを特徴とする切削方法。
【発明の詳細な説明】
【技術分野】
【０００１】
本発明は、被切削部材を削るためのバイト、およびこれを用いた切削方法に関するものである。
【背景技術】
【０００２】
従来、バイトを用いた切削方法では、バイトの切れ刃を被切削部材に当てた状態で被切削部材（ワーク）を回転させることにより、バイトにより被切削部材を切削して加工するものがある（特許文献１参照）。
【０００３】
このような切削方法を用いた加工として、いわゆる、袋穴加工がある。袋穴加工は、被切削部材に予め設けられた断面円形状の長穴の軸方向奥側において、長穴の軸線を中心とするリング状の凹部を設けるものである。
【０００４】
袋穴加工に用いられるバイトとして、棒状のシャンク（柄部）とこのシャンクの先端部に配置されて鋭角に尖った切れ刃とから構成され、切れ刃がシャンクの軸方向に対して直交する方向に向くように設けられているものがある。
【０００５】
このものにおいて、長穴の軸線を中心として被切削部材を回転させた状態で、被切削部材の長穴内で切れ刃を軸方向に動かしてこの切れ刃により径方向外側に内周面を切削する動作を繰り返し行うことにより、リング状の凹部を設けることになる。
【０００６】
また、袋穴加工に用いられるバイトとして、上述した鋭角に尖った切れ刃を備えるバイト以外に、シャンクの軸方向に対する直交方向に突出する突出部を有する総型バイトがある。総型バイトの突出部は、軸方向に平行で、かつ軸方向に対する直交方向に平行である面部を有している。そして、面部のうち突出方向の先端側には切れ刃が形成されている。
【０００７】
このものにおいて、長穴の軸線を中心として被切削部材を回転させた状態で、被切削部材の長穴内で切れ刃を径方向外側に押し当てて切れ刃により内周面を切削することにより、凹部を設けることになる。
【先行技術文献】
【特許文献】
【０００８】
【特許文献１】特開２００６−３１５１５６号公報
【発明の概要】
【発明が解決しようとする課題】
【０００９】
上述した鋭角に尖った切れ刃を備えるバイトを用いた切削方法では、切れ刃を軸方向に動かす動作を繰り返し行うことが必要であるため、凹部を設けるのに長い時間がかかる。
【００１０】
これに対して、総型バイトを用いた場合には、切れ刃を長穴の内周面に押し当てる力を強くすれば、切れ刃により削れられる量も多くなり、短期間で凹部を成形することができると考えられる。
【００１１】
しかし、実際には、長穴の断面の面積が小さく、かつ軸方向長さが長い長穴の軸方向奥側に、凹部を設ける場合には、細くて長いシャンクが必要になる。このため、シャンクの剛性が不足して、切れ刃を長穴の内周面に強く押し当てることができない。よって、切れ刃により削れられる量を多くすることができない。このため、凹部を設けるのに長い時間がかかる。
【００１２】
本発明は、上記点に鑑みて、袋穴加工に要する時間を短くすることを可能としたバイトを提供することを第１の目的とする。
【００１３】
また、本発明は、バイトを用いて成形する切削方法において、袋穴加工に要する時間を短くすることを可能とすることを第２の目的とする。
【課題を解決するための手段】
【００１４】
上記目的を達成するため、請求項１に記載の発明では、棒状のシャンクの軸方向一方側に設けられ、前記シャンクの軸方向に対する直交方向に突出するように形成された突出部を有し、
この突出部により被切削部材を前記軸方向に切り込む切れ刃を構成しており、
前記突出部には、前記突出する方向に頂部を向けるように形成された山部が複数個、前記軸方向に並ぶように形成されていることを特徴とする。
【００１５】
この発明によれば、突出部により構成された切れ刃に、さらにその軸方向に並べられた複数個の山部が形成されているので、被切削部材に対して軸方向およびそれに直交する方向のそれぞれに削り込みを行うことができるので、袋穴加工に要する時間を短くすることが可能になる。
【００１６】
請求項２に記載の発明では、請求項１に記載の発明において、前記突出部は、前記シャンクの軸方向に平行でかつ前記軸方向に直交する方向に平行である平面を有しており、
前記シャンクの軸線を中心とする円周方向に前記突出部が２つ設けられ、一方の突出部の平面と他方の突出部の平面は、前記円周方向において同一の向きに向けて配置されていることを特徴とする。
【００１７】
この発明によれば、一方の突出部と他方の突出部を用いて袋穴加工における荒削り工程と仕上げ工程とをそれぞれ行うことができるので、バイトを交換することなく両工程を行うに適したバイトとすることができる。
【００１８】
請求項３に記載の発明は、請求項１または２に記載の発明において、前記複数個の山部のそれぞれは、前記軸方向に直交する線に対して線対称になっている第１、第２の側面を有することを特徴とする。
【００１９】
この発明によれば、バイトを軸方向一方側に移動させるときと軸方向他方側に移動させるときとで、接触抵抗に変化が生じにくいものとすることができる。このことにより、切粉の形状に変化が生じ難く、切粉の排出を容易に行うことができる。
【００２０】
請求項４に記載の発明では、棒状のシャンクの軸方向一方側に設けられている切れ刃を有するバイトを用いて、被切削部材に設けられた断面円形の長穴の軸方向奥側を切削して前記長穴の軸線を中心とするリング状の凹部を成形する切削方法であって、
前記バイトとして、請求項１ないし３のいずれか１つに記載のバイトを用い、
前記長穴の軸線を中心として前記被切削部材を回転させた状態で、前記バイトを前記長穴の軸方向に動かしつつ前記長穴の径方向外側に動かし、前記突出部の複数個の山部によって前記長穴の軸方向奥側の内周面を前記径方向外側および前記軸方向に削り込むことにより、前記凹部を成形することを特徴とする。
【００２１】
この発明によれば、突出部の複数個の山部によって被切削部材の長穴の軸方向奥側の内周面を長穴の軸方向および長穴の径方向外側のそれぞれに削り込むことにより、被切削部材に対して多くの量を削ることができる。このため、短い期間で凹部を成形することができる。よって、袋穴加工に要する時間を短くすることが可能となる。
【００２２】
請求項５に記載の発明では、棒状のシャンクの軸方向一方側に設けられている切れ刃を有するバイトを用いて、被切削部材に設けられた断面円形の長穴の軸方向奥側を切削して前記長穴の軸線を中心とするリング状の凹部を成形する切削方法であって、
前記バイトとして、請求項２または３に記載のバイトを用い、
前記長穴の軸線を中心として前記被切削部材を回転させた状態で、前記バイトを前記長穴の軸方向に動かしつつ前記長穴の径方向外側に動かして前記凹部を成形する工程を有し、この工程は、
前記一方の突出部の複数個の山部によって前記長穴の軸方向奥側の内周面を前記径方向外側および前記軸方向に削り込む荒削りの工程と、
前記他方の突出部の複数個の山部によって前記長穴の軸方向奥側の内周面を前記径方向外側および前記軸方向に削り込む仕上げの工程と、を有することを特徴とする。
【００２３】
この発明によれば、請求項４に記載の発明の効果に加え、一方の突出部と他方の突出部を用いて袋穴加工における荒削り工程と仕上げ工程とをそれぞれ行うことができ、バイトを交換する必要がなくなるので、袋穴加工に要する時間の短縮化を図ることができる。
【図面の簡単な説明】
【００２４】
【図１】本発明の第１実施形態におけるバイトの構造を示す図である。
【図２】図１の部分拡大図である。
【図３】第１実施形態において用いられるＮＣ旋盤のチャック装置を示す図である。
【図４】第１実施形態における切削工程を示す図表である。
【図５】第１実施形態の切削工程の袋穴加工を示す図である。
【図６】第１実施形態の切削工程の袋穴加工を示す図である。
【図７】第１実施形態の山部の変形例を示す図である。
【図８】本発明の第２実施形態におけるバイトの構造を示す図である。
【図９】第２実施形態における袋穴加工の荒削り工程を示す図である。
【図１０】第２実施形態における袋穴加工の仕上げ工程を示す図である。
【図１１】第２実施形態における袋穴加工の終了した状態を示す図である。
【発明を実施するための形態】
【００２５】
以下、本発明の実施形態について図に基づいて説明する。なお、以下の各実施形態相互において、互いに同一もしくは均等である部分には、説明の簡略化を図るべく、図中、同一符号を付してある。
【００２６】
（第１実施形態）
図１に本発明に係る第１実施形態のバイトを示す。図１（ａ）はバイトの正面図、図１（ｂ）はバイトの左側面図、図２（ａ）は図１（ａ）中のＡ部分の拡大図である。図２（ｂ）は図２（ａ）中のＢ部分の拡大図である。
【００２７】
バイト１は、ＮＣ旋盤のバイトホルダーに固定されて、被切削部材（ワーク）を切削するために用いられるものである。具体的には、バイト１は、図１（ａ）に示すように、棒状の柄部を構成するシャンク１０を備える。
【００２８】
シャンク１０は、金属製の部材であって、大径部１１と小径部１２とから構成されている。大径部１１は、断面略円形で棒状に形成されたものであって、後述するようにＮＣ旋盤のバイトホルダーに支持される。
【００２９】
小径部１２は、断面略円形状で棒状に形成されたものであって、小径部１２は、大径部１１に比べて断面積が小さくなっている。小径部１２は、大径部１１の軸方向一方側において、その軸方向が大径部１１の軸方向に一致するように配置されている。なお、図１（ａ）中の符号ａは、大径部１１の軸線を示している。図１（ｂ）中の符号ｂは上下方向の中心線であり、符号ｃは水平方向の中心線である。
【００３０】
小径部１２のうち軸方向一方側には、凹部１５が形成されている。凹部１５は、軸方向（図１（ｂ）の紙面垂直方向）に対して直交する方向Ｙａに凹むように形成されている。凹部１５は、図１（ｂ）および図２（ａ）に示すように、小径部１２のうち軸方向一方側から軸方向他方側に亘って設けられている。凹部１５は、
図２（ａ）に示すように、側面１５ａ、１５ｃ、および上面１５ｂとから構成されている。
【００３１】
側面１５ａは、方向Ｙａ（図１（ｂ）参照）に直交するように配置されている面である。上面１５ｂは、側面１５ａに対して直交して、かつ方向Ｙａに平行になるように配置されている面である。側面１５ｃは、上面１５ｂに対して斜めに交差し、かつ側面１５ａに直交するように配置されている面である。なお、図２（ａ）の点線ｄは、側面１５ａと後述する側面１６ａとの間の境界を示す仮想線である。
【００３２】
小径部１２のうち軸方向一方側に、図１（ｂ）に示すように、突出部１６が形成されている。突出部１６は、凹部１５に隣接して設けられたもので、軸方向に直交する方向Ｙｂに突出するように形成されている。方向Ｙｂは、方向Ｙａに対して直交する方向である。
【００３３】
突出部１６のうち突出側１６ｂ（図１（ｂ）参照）は、軸方向から視て略円弧状に形成されている。突出部１６のうち凹部１５側には、側面１６ａ（図２（ａ）参照）が形成されている。側面１６ａは、凹部１５の側面１５ａとともに、１つの平面２８を構成する。平面２８は、方向Ｙｂに平行で、かつ軸方向に平行に形成されたもので、後述するように、切粉の通過を案内する周知のすくい面を構成している。
【００３４】
突出部１６のうちその突出方向側（図２（ａ）中矢印Ｙｂ側）は、山部３０を複数個、軸方向に並べて構成されている。図２（ａ）には４個の山部３０が並べられている例が示されている。複数個の山部３０は、図２（ｂ）に示すように、それぞれ、突出方向に頂部３１を向けるように形成されている。図２（ｂ）は、１つの山部３０の拡大図を示している。
【００３５】
複数個の山部３０の軸方向一方側には、側面３２ａが設けられている。複数個の山部３０の軸方向他方側には、側面３２ｂが設けられている。側面３２ａ、３２ｂは、図２（ｂ）に示すように、突出方向Ｙｂに対して傾斜している。側面３２ａ、３２ｂは、方向Ｙａに平行に形成されている。方向Ｙａ（図１（ｂ）参照）は、図２（ｂ）中の紙面に対する垂直方向である。側面３２ａ、３２ｂは、頂部３１を通り突出方向に延びる中心線（図示省略）を中心として線対称になっている。
【００３６】
ここで、山部３０の角度θ（図２（ｂ）参照）は、被切削部材の材質や仕上げの面粗度によって選択されるものである。例えば、山部３０の角度θ（図２（ｂ）参照）として、２０°〜１５０°の値が設定される。山部３０の角度θは、側面３２ａ、３２ｂが頂部３１で交差して形成される角度のことである。
【００３７】
複数個の山部３０のピッチＴｐ（図２（ａ）参照）は、それぞれ同一長さになっている。ピッチＴｐは、複数個の山部３０のうち隣接する２個の山部３０の間の頂部３１の間の寸法である。
【００３８】
突出部１６のうち複数個の山部３０を構成する部分は、被切削部材を削る切れ刃を構成している。具体的には、側面１６ａのうち複数個の山部３０を構成する部分は、第１の切れ刃３０ａとして、被切削部材に対して突出方向に切り込む役割を果たす。複数個の山部３０において側面３２ａ、３２ｂ、および頂部３１は、第２の切れ刃３３として、被切削部材に対してシャンク１０の軸方向に削り込む役割を果たす。
【００３９】
また、シャンク１０には、軸線方向に貫通したオイルホール１７ａ、１７ｂが設けられている。オイルホール１７ａ、１７ｂの軸線方向一方側に出口が設けられ、オイルホール１７ａ、１７ｂの軸線方向他方側に入口が設けられている。オイルホール１７ａ、１７ｂは、後述するように、複数個の山部３０により被切削部材の長穴内を切削する際に長穴内に放出するオイルを流す役割を果たす。
【００４０】
次に、本実施形態のバイト１を用いた切削方法の具体例について説明する。
【００４１】
まず、第１、第２のドリルホルダーおよびバイトホルダーを有するＮＣ旋盤を用意する。ＮＣ旋盤の第１のドリルホルダーにはセンタドリルが取り付けられ、第２のドリルホルダーにはドリルが取り付けられ、バイトホルダーにはバイト１が取り付けられている。
【００４２】
ＮＣ旋盤は、予め記憶されたプログラムにしたがって、センタドリル、ドリル、およびバイトホルダーの位置制御、チャック装置４０の回転、およびバイト１のオイルホール１７ａ、１７ｂの入口に対するオイルの流入を実行するものである。
【００４３】
まず、作業者がＮＣ旋盤のチャック装置４０（図３参照）に被切削部材５０を取り付ける。本具体例では、被切削部材５０として円柱状の金属部材が用いられる。ここで、チャック装置４０の回転中心（図３中Ｋｃ参照）に円柱状の被切削部材の軸線を一致させる。
【００４４】
ＮＣ旋盤がチャック装置４０を回転させると、チャック装置４０の回転中心を中心として被切削部材５０が回転する。この状態で、ＮＣ旋盤は、次の第〜第３の工程により、センタドリル、ドリル、およびバイト１を用いて被切削部材５０を切削加工する。
【００４５】
以下、第１、第２、第３の工程について図４、図５を参照して説明する。図４は、第１、第２、第３の工程における被切削部材５０の加工形状（被切削部材５０の断面図）、使用刃具、加工内容を示す。
【００４６】
まず、第１工程では、センタドリルを用いて穴入口のセンタもみを行う。具体的には、センタドリルを被切削部材５０の側面５１のうち回転中心に当てて切削して円錐形状の穴６０ａを開ける。
【００４７】
次に、第２工程では、センタドリルに代えてドリルを用いて穴開けを行う。このとき、円錐形状の穴６０ａは、ドリルの先端部の位置を決める役割を果たす。そして、ドリルによる穴開けによって、被切削部材５０においてその回転中心に軸線が一致する断面円形の長穴６０が形成されることになる。
【００４８】
次に、第３工程では、ドリルに代わるバイト１を用いて袋穴加工を行う。袋穴加工とは、長穴６０の軸方向奥側（軸方向一方側）に長穴６０の軸線を中心とするリング状の凹部６５を設ける加工のことである。
【００４９】
袋穴加工では、まず、図５に示すように、バイト１の小径部１２側を長穴６０の軸方向奥側に挿入する。このとき、バイト１の軸方向を長穴６０の軸方向に一致させる。そして、図６に示すように、バイト１の平面２８を被切削部材５０の回転方向Ｋａの逆向きＫｈに向ける。図６は、バイト１を軸方向から視た模式図である。
【００５０】
その後、バイト１を図５中の矢印Ｙｃの如く、長穴６０の径方向外側に動かしつつ、バイト１に対して軸方向一方側の移動と軸方向他方側の移動とを繰り返し行わせる。
【００５１】
したがって、複数の山部３０により長穴６０の軸方向奥側の内周面を径方向外側（突出部１６の突出方向）および長穴６０の軸方向（シャンク１０の軸方向）のそれぞれに削り込む。これにより、長穴６０の軸方向奥側に凹部６５を成形することになる。
【００５２】
ここで、バイト１の軸方向一方側の移動距離と軸方向他方側の移動距離とは、同一の移動距離Ｌが設定されている。具体的には、移動距離Ｌとして、上述の山部３０のピッチＴｐ（図１（ｃ）参照）の倍数の長さが設定される。
【００５３】
これは、凹部６５の内周面を軸方向に平らにするためである。本実施形態では、移動距離Ｌとして、ピッチＴｐ×１の長さが設定される。このため、凹部６５の軸方向長さＬａは、突出部１６の軸方向長さＬｂ（図２（ａ）参照）とピッチＴｐとを足した長さとなる。
【００５４】
また、ＮＣ旋盤は、複数個の山部３０により切削する際に、オイルホール１７ａ、１７ｂの入口にオイルを流入する。これにより、オイルホール１７ａ、１７ｂの出口からオイルが長穴６０の軸方向奥側に放出される。
【００５５】
ここで、複数個の山部３０により長穴６０の軸方向奥側の内周面を削り込むことにより、切粉が発生するものの、切粉は、オイルホール１７ａ、１７ｂからのオイルによりに流される。このとき、切粉は平面２８に案内されて軸方向入口側に移動し、その後、長穴６０から排出されることになる。
【００５６】
以上説明した本実施形態では、バイト１の突出部１６は、山部３０を複数個、軸方向に並べて構成されている。複数個の山部３０は、長穴６０の軸方向奥側の内周面を径方向外側および長穴６０の軸方向のそれぞれに削り込む切れ刃を構成する。そして、バイト１を長穴６０の径方向外側に動かしつつ、バイト１に対して軸方向一方側の移動と軸方向他方側の移動とを繰り返し行わせる。
【００５７】
これにより、バイト１は、長穴６０の軸方向奥側の内周面を径方向外側および長穴６０の軸方向に削り込むことになる。このため、被切削部材５０に対して多くの量を削ることができるので、長穴６０の軸方向奥側に凹部６５を短い時間で成形することができる。これにより、袋穴加工に要する時間を短くすることが可能になる。
【００５８】
本実施形態では、被切削部材５０を削る際に、バイト１を軸方向に移動させる距離Ｌとして、ピッチＴｐ×１の長さが設定される。ここで、上述した尖った切れ刃を備える従来のバイトを用いる場合には、バイトの切れ刃を凹部６０の軸方向長さ分移動させる必要がある。
【００５９】
これに対して、本実施形態では、バイト１の軸方向の移動距離Ｌは、上述の如く、ピッチＴｐ×１の長さに設定されている。このため、バイト１の軸方向の移動距離を短くすることができるので、凹部６５の成形に必要な時間をより一層短くすることができる。
【００６０】
本実施形態では、バイト１の突出部１６は、上述の如く、山部３０を複数個、軸方向に並べて構成されている。このため、本実施形態のバイト１は、従来の総型バイトに比べて被切削部材５０に対するバイト１の接触面積を小さくすることができる。
【００６１】
よって、被切削部材５０に対するバイト１の切削抵抗を小さくすることができる。このため、バイト１を径方向外側および軸方向に移動させる速度を速くすることができる。これにより、凹部６５の成形に必要な時間をより短くすることができる。
【００６２】
本実施形態では、上述の如く、被切削部材５０に対するバイト１の切削抵抗を小さくすることができるので、被切削部材５０をバイト１により切削する際に生じる振動（いわゆるビビリ音）の発生を抑えることができる。
【００６３】
本実施形態では、被切削部材５０を削る際に、バイト１を、上述の如く、径方向外側および軸方向に移動させる。
【００６４】
ここで、従来の総型バイトを用いて被切削部材５０を削る際には、バイト１を径方向外側に移動させる。このため、総型バイトにより被切削部材５０を削る際に長い切粉が発生する。したがって、被切削部材５０の長穴内で切粉が詰まる場合がある。
【００６５】
これに対して、本実施形態では、バイト１を、上述の如く、径方向外側だけでなく、軸方向にも移動させるので、被切削部材５０を削る際に生じる切粉は短いものとなる。このため、長穴６０内から切粉を容易に排出することができる。
【００６６】
本実施形態では、バイト１の山部３０の側面３２ａ、３２ｂは、それぞれ、突出方向に対して傾斜するように形成されている。側面３２ａ、３２ｂは、頂部３１を通り突出方向に延びる中心線（図示省略）を中心として線対称になっている。  このため、バイト１を軸方向一方側に移動させるときと軸方向他方側に移動させるときとで、接触抵抗に変化が生じ難い。これに伴い、バイト１を軸方向一方側に移動させるときと軸方向他方側に移動させるときとで、面粗度に変化が生じ難い。
【００６７】
本実施形態では、バイト１は、上述の如く、軸方向一方側に移動させるときと軸方向他方側に移動させるときとで、接触抵抗に変化が生じ難くなっている。これに伴い、バイト１を軸方向一方側に移動させるときと軸方向他方側に移動させるときとで、切粉の形状に変化が生じ難い。よって、切粉の排出をより一層容易に行うことができる。
【００６８】
上述の第１の実施形態では、バイト１の山部３０の側面３２ａ、３２ｂを、それぞれ、突出方向に対して傾斜するように形成した例を示したが、これに限らず、バイト１の山部３０の側面３２ａ、３２ｂを、図７（ａ）、（ｂ）に示すようにしてもよい。
【００６９】
この場合、側面３２ａ、３２ｂによりなす山部３０の角度が図２に示す山部３０の角度に比べて鋭角になっている。このため、山部３０の強度が不足して折れたり欠けたりすることが生じやすいものの、被切削部材５０に対して多くの量を削ることができる。
【００７０】
ここで、図７（ａ）では、側面３２ａを突出方向に平行で、側面３２ｂを突出方向に対して傾斜するように形成してある。このため、バイト１を軸方向一方側に移動する場合には、バイト１を軸方向他方側に移動する場合には、切削抵抗が小さくなる。
【００７１】
図７（ｂ）では、側面３２ａを突出方向に傾斜し、側面３２ｂを突出方向に対して平行に形成してある。このため、バイト１を軸方向一方側に移動する場合には、バイト１を軸方向他方側に移動する場合には、切削抵抗が大きくなる。
（第２実施形態）
上述の第１実施形態では、バイト１のシャンク１０に突出部１６を１つ設けた例を示したが、これに代えて、本実施形態では、バイト１のシャンク１０に突出部を２つ設けた例について説明する。
【００７２】
図８（ａ）はバイトの正面図、図８（ｂ）はバイトの左側面図である。図８（ａ）、（ｂ）において、図１（ａ）、（ｂ）と同一符号は、同一のものを示して、その説明を省略する。
【００７３】
本実施形態のバイト１のシャンク１０の小径部１２には、図８（ａ）、（ｂ）に示すように、凹部１５Ａ、１５Ｂおよび突出部１６Ａ、１６Ｂが設けられている。
【００７４】
凹部１５Ａ、１５Ｂは、図１（ａ）、（ｂ）に示される凹部１５と同様の構造になっている。突出部１６Ａ、１６Ｂは、図１（ａ）、（ｂ）に示される突出部１６と同様の構造になっている。
【００７５】
突出部１６Ａ、１６Ｂは、互いに反対側に突出するように形成されている。突出部１６Ａは、凹部１５Ａに隣接するように設けられ、突出部１６Ｂは、凹部１５Ｂに隣接するように設けられている。このため、シャンク１０の小径部１２には、突出部１６Ａ、１６Ｂに対応した平面２８Ａ、２８Ｂが設けられていることになる。
【００７６】
平面２８Ａ、２８Ｂは、図２（ａ）中の平面２８に相当したものであって、シャフト１０の大径部１１の垂直方向中心線ｂに重なるように形成されている。突出部１６Ａの平面２８Ａと突出部１６Ｂの平面２８Ｂとは、シャンク１０の軸線を中心とする円周方向において同一向きに向けてある。
【００７７】
ここで、突出部１６Ａ、１６Ｂのそれぞれには、複数の山部３０（図８中図示省略）が成形されていることになる。突出部１６Ａ、１６Ｂの複数個の山部３０は、図２（ｂ）の突出部１６の複数の山部３０と同じ構造であって、それぞれ、切れ刃を構成している。
【００７８】
突出部１６Ａ、１６Ｂのうち一方の突出部の複数個の山部３０は、荒削りに用いられ、残りの突出部の複数個の山部３０は、仕上げに用いられる。
【００７９】
本実施形態のシャンク１０の小径部１２には、２つの面部１２ａが設けられている。一方の面部１２ａは図８（ｂ）中右側に設けられ、他方の面部１２ａは図８（ｂ）中左側に設けられている。２つの面部１２ａは、面取りのために設けられたもので、小径部１２を軸方向から視た左右方向の長さを短くすることができる。
【００８０】
次に、本実施形態においてＮＣ旋盤による袋穴加工について図９〜図１１を参照して説明する。
【００８１】
本実施形態の袋穴加工の工程は、荒削りと仕上げとに分かれている。荒削りとは、大まかに切削を行う工程である。具体的には、荒削りの工程では、上述の第１実施形態の第２工程において長穴６０が成形された後に、図９に示すように、バイト１を長穴６０の軸方向奥側に挿入して、突出部１６Ａ、１６Ｂのそれぞれの平面２８を被切削部材５０の回転方向の逆向きに向ける。
【００８２】
ここで、突出部１６Ａをシャンク１０の図中下側に向け、突出部１６Ｂをシャンク１０の図中上側に向ける。その後、突出部１６Ａの複数個の山部３０（図９中図示省略）により長穴６０の軸方向奥側の内周面を所定期間に亘って切削する。この際のＮＣ旋盤によるバイト１の位置制御は、上述の第１実施形態の場合と同様であるため、その説明を省略する。
【００８３】
この荒削りの工程が終わると、次に仕上げの工程に移る。この仕上げの工程では、図１０に示すように、バイト１を図示上側に移動させて、突出部１６Ａに代わる突出部１６Ｂの複数個の山部３０（図１０中図示省略）によって長穴６０の軸方向奥側の内周面を径方向外側および軸方向に削り込む。
【００８４】
この場合、バイト１の位置制御は、荒削りの工程の場合と実質的に同様に行われる。このような複数個の山部３０による切削を一定期間に亘って継続すると、凹部６５の内表面の面粗度が目標値に到達する。
【００８５】
これに伴い、長穴６０の軸方向奥側の凹部６５（図１１参照）が完成したとして、仕上げの工程を終了する。なお、図１０中符号７０は切粉を示している。
【００８６】
以上説明した本実施形態によれば、バイト１には、突出部１６Ａ、１６Ｂが設けられている。すなわち、本実施形態のバイト１では、上記第１実施形態のシャンク１０のうち空いた部分に、１つの突出部を追加したことになる。
【００８７】
そして、突出部１６Ａの複数個の山部３０は、荒削りに用いられ、突出部１６Ｂの複数個の山部３０は、仕上げに用いられる。このため、凹部６５を成形する際に、一本のバイト１で荒削りと仕上げとを両方行うことができる。
【００８８】
ここで、荒削り工程と仕上げ工程とで別々のバイトを用いる場合には、荒削り工程の後で仕上げ工程を始める前に切削に用いるバイトを交換する必要がある。このため、バイトの交換に時間が要することになる。
【００８９】
これに対して、本実施形態では、荒削り工程と仕上げ工程とを一本のバイトで切削する。このため、バイトを交換する必要がなくなるので、袋穴加工に要する時間の短縮化を図ることができる。
【００９０】
これに加えて、上述の如く、一本のバイトで荒削り工程と仕上げ工程との両方を実施することができるので、ＮＣ旋盤において、他のバイトを取り付け可能であるバイトホルダーが生じることになる。このため、ＮＣ旋盤に取り付けるバイトの本数を増やすことが可能になる。
【００９１】
本実施形形態では、バイト１の突出部１６Ａの平面部２０と突出部１６Ｂの平面部２０とは、シャンク１０の軸線を中心とする円周方向において同一向きに向けてある。このため、荒削りと仕上げとで、被切削部材５０の回転方向を変える必要がない。このため、袋穴加工に要する時間をより一層短縮化することができる。
【００９２】
本実施形形態では、小径部１２を軸方向から視た左右方向の長さを短くするために、バイト１の小径部１２には、２つの面部１２ａが設けられている。これにより、袋穴加工の際に、長穴６０の内周面に小径部１２が接触することを避けることができる。
【００９３】
上述の第２実施形態では、突出部１６Ａ、１６Ｂを同様の構造にした例について説明したが、これに代えて、突出部１６Ａ、１６Ｂを別の構造にしてもよい。
【符号の説明】
【００９４】
１      バイト
１０    シャンク
１１    大径部
１２    小径部
１５    凹部
１６    突出部
１６ａ  突出部
１６ｂ  突出部
２８    平面
３０    山部
３０ａ  第１の切れ刃
３３    第２の切れ刃
３１    頂部
３２ａ  側面
３２ｂ  側面
４０    チャック装置
５０    被切削部材
【図１】
2011212778.tif 000003
【図２】
2011212778.tif 000004
【図３】
2011212778.tif 000005
【図４】
2011212778.tif 000006
【図５】
2011212778.tif 000007
【図６】
2011212778.tif 000008
【図７】
2011212778.tif 000009
【図８】
2011212778.tif 000010
【図９】
2011212778.tif 000011
【図１０】
2011212778.tif 000012
【図１１】
2011212778.tif 000013